(57)【要約】【課題】本発明は、プラズマディスプレイパネルの輝度偏差を減少させるプラズマディスプレイパネルを提供する。【解決手段】 本発明のプラズマディスプレイパネルはパネルの領域にかけて輝度偏差を減らす。輝度偏差のこのような減少はパネルのお互いに異なる領域で対応するスキャン/サステイン電極対の対応するスキャン電極または対応するサステイン電極の間の間隔を変化させて前記スキャン/サステイン電極対のスキャン及びサステイン電極の間のギャップを変化させること中で少なくとも一つによって達成される。【選択図】図５ａ
2006120633.tif 000002
【特許請求の範囲】
【請求項１】
プラズマディスプレイパネルにおいて、
第１方向にスキャン電極とサステイン電極をそれぞれ含む複数の電極対と、
前記第１方向に実質的に垂直である第２方向での複数のアドレス電極と、
対応する電極対及びアドレス電極の交差点またはその近くにそれぞれ形成された複数のセルを具備するが、
前記複数のセルは、 少なくとも二つの電極対が第１及び第２対を含むように前記少なくとも二つの電極対をそれぞれ持つ複数の区間に分割されて、
選定された間隔が前記第１対のスキャン電極と前記第２対のスキャン電極の間にまたは前記第１対のサステイン電極と前記第２対のサステイン電極の間に形成されて、
少なくとも一区間の前記選定された間隔は少なくとも他の区間の前記選定された間隔とは異なることを特徴とするプラズマディスプレイパネル。
【請求項２】
前記複数の領域は上部領域、下部領域、及び前記上部領域と前記下部領域の間の中心領域を含むことを特徴とする、請求項１記載のプラズマディスプレイパネル。
【請求項３】
前記中央領域は全体ディスプレイ面積の少なくとも１０％であることを特徴とする、請求項２記載のプラズマディスプレイパネル。
【請求項４】
前記上部、下部及び中央領域は等しい面積または大きさを持つとかまたは前記上部及び下部領域は前記中央領域とは異なる面積または大きさを持つことを特徴とする、請求項２記載のプラズマディスプレイパネル。
【請求項５】
前記中央領域の前記選定された間隔は前記上部領域及び前記下部領域の中で少なくとも一つの前記選定された間隔より小さく前記上部領域の前記選定された間隔は前記下部領域の前記選定された間隔より小さいとか大きいことを特徴とする、請求項２記載のプラズマディスプレイパネル。
【請求項６】
前記上部領域は複数の第１領域を含み、前記下部領域は複数の第２領域を含むことを特徴とする、請求項２記載のプラズマディスプレイパネル。
【請求項７】
前記第１及び第２領域の数は等しいとか異なることを特徴とする、請求項６記載のプラズマディスプレイパネル。
【請求項８】
前記選定された間隔は、前記中央領域に接した第１領域から前記中央領域で一番遠い前記第１領域に均一に増加するとか、前記選定された間隔は前記中央領域に接した第１領域から前記中央領域で一番遠い前記第１領域にばらつきすることを特徴とする、請求項７記載のプラズマディスプレイパネル。
【請求項９】
前記選定された間隔は、前記中央領域に接した第２領域から前記中央領域で一番遠い前記第２領域で均一に増加するとか、 前記選定された間隔は前記中央領域に接した第２領域から前記中央領域で一番遠い前記第２領域にばらつきすることを特徴とする、請求項７記載のプラズマディスプレイパネル。
【請求項１０】
プラズマディスプレイパネルにおいて、
第１方向に配列された複数のスキャン電極と、
前記第１方向に配列された複数のサステイン電極を具備するが、第１スキャン電極と第２サステイン電極は複数の電極対を形成して、一対のスキャン電極は選定された間隔位  前記対のサステイン電極から離隔されてあり、
前記複数の電極対は少なくとも一つの電極対をそれぞれ持つ複数の領域の間に分散しているし、
少なくとも一領域の前記選定された間隔は少なくとも他の一つ領域の前記選定された間隔とは異なることを特徴とするプラズマディスプレイパネル。
【請求項１１】
前記複数の領域は上部領域、下部領域、及び前記上部領域と前記下部領域の間の中心領域を含むことを特徴とする、請求項１０記載のプラズマディスプレイパネル。
【請求項１２】
前記中央領域は全体ディスプレイ面積の少なくとも１０％であることを特徴とする、請求項１０記載のプラズマディスプレイパネル。
【請求項１３】
前記上部、下部及び中央領域は等しい面積または大きさを持つとかまたは前記上部及び下部領域は前記中央領域とは異なる面積または大きさを持つことを特徴とする、請求項１１記載のプラズマディスプレイパネル。
【請求項１４】
前記中央領域の前記選定された間隔は前記上部領域及び前記下部領域の中で少なくとも一つの前記選定された間隔より小さく前記上部領域の前記選定された間隔は前記下部領域の前記選定された間隔より小さいとか大きいことを特徴とする、 請求項１１記載のプラズマディスプレイパネル
【請求項１５】
前記上部領域は複数の第１領域を含み、 
前記下部領域は複数の第２領域を含むことを特徴とする、請求項１１記載のプラズマディスプレイパネル。
【請求項１６】
前記第１及び第２領域の数は等しいとか異なることを特徴とする、請求項１５記載のプラズマディスプレイパネル。
【請求項１７】
前記選定された間隔は、 前記中央領域に接した第１領域から前記中央領域で一番遠い前記第１領域で均一に増加するとか、 前記選定された間隔は前記中央領域に接した第１領域から前記中央領域で一番遠い前記第１領域にばらつきすることを特徴とする、請求項１６記載のプラズマディスプレイパネル。
【請求項１８】
前記選定された間隔は、 前記中央領域に接した第２領域から前記中央領域で一番遠い前記第２領域で均一に増加するとか、 前記選定された間隔は前記中央領域に接した第２領域から前記中央領域で一番遠い前記第２領域にばらつきすることを特徴とする、請求項１６記載のプラズマディスプレイパネル。
【請求項１９】
プラズマディスプレイパネルの製造方法において、
スキャン電極とサステイン電極をそれぞれ含む複数の電極対を持つ上部基板を提供する段階と、
複数のアドレス電極と複数の隔壁を持つ下部基板を提供する段階と、前記複数の隔壁のそれぞれは対応する電極対及びアドレス電極の交差点にまたは交差点近くに形成されて、（ａ）前記複数のセルは、少なくとも二つの電極対が第１及び第２対を含むように前記少なくとも二つの電極対をそれぞれ持つ複数の区間に分割されて、選定された間隔が前記第１対のスキャン電極と前記第２対のスキャン電極の間にまたは前記第１対のサステイン電極と前記第２対のサステイン電極の間に形成されて、 少なくとも一区間の前記選定された間隔は少なくとも他の区間の前記選定された間隔とは異なるとか、または、
（ｂ） 一つの電極対のスキャン電極は選定された間隔位前記電極対のサステイン電極から離隔されてあり、 前記複数の電極対は少なくとも一つの電極対をそれぞれ持つ複数の領域の間に分散しているし、 少なくとも一領域の前記選定された間隔は少なくとも他のひとつ領域の前記選定された間隔とは異なることを特徴とするプラズマディスプレイパネル。
【発明の詳細な説明】
【技術分野】
【０００１】
本発明は、ディスプレイ装置、より詳しくはプラズマディスプレイパネルに関する。
【背景技術】
【０００２】
一般的にプラズマディスプレイパネルは上部基板、下部基板及び上部基板と下部基板の間に形成された隔壁を含むディスプレイ装置である。 各セル内には主にネオン（Ｎｅ)、 ヘリウム（Ｈｅ）またはネオン及びヘリウムの混合気体（Ｎｅ＋Ｈｅ）で満たされて、また少量のキセノンのような不活性ガスを含む。高周波電圧によって放電される時、不活性ガスは紫外線(望ましくは、真空紫外線（Ｖａｃｕｕｍ Ｕｌｔｒａｖｉｏｌｅｔ ｒａｙｓ）)を発生して下部基板及び/または隔壁上の蛍光体を発光させて画像が具現される。このようなプラズマディスプレイパネルは薄く軽い構成が可能なので、ＣＲＴ及びＬＣＤと比べて次世代表示装置として脚光を浴びている。
【０００３】
図１は従来プラズマディスプレイパネルの電極配置構造を示す図面である。図示すように、 従来プラズマディスプレイパネルの電極配置構造は、上部基板１００に複数のスキャン電極（Ｙ１〜Ｙｎ）とサステイン電極（Ｚ１〜Ｚｎ）がそれぞれ対を成して配置される。また、スキャン電極及びサステイン電極は、所定のスキャン電極パッド２１と、サステイン電極パッド２２から上部基板１００まで繋がれる。この時、複数のスキャン電極の間の間隔は上部基板１００全体で誤差範囲内で等しく維持されて、複数のサステイン電極の間の間隔も上部基板１００全体で誤差範囲内で等しく維持されて、また、各電極対を成すスキャン電極とサステイン電極の間の間隔も一定に維持される。
【０００４】
このような電極配置構造を持つ従来プラズマディスプレイパネルの放電セル内での電極構造をよく見れば図２のようである。 従来プラズマディスプレイパネルの放電セル内での電極構造は、放電セル内の両方地点にスキャン電極１０１及びサステイン電極１０２のバス電極（ｂ）がそれぞれ上部基板に形成されていて、各バス電極（ｂ）が形成された両方地点に多角形状のスキャン電極１０１の透明電極（ａ）とサステイン電極１０２の透明電極（ａ）がそれぞれ位置して放電セルの中心部を間に置いて互いに対向して構成される。
【０００５】
下部基板上の対応するアドレス電極は、各放電セル内のバス電極（ｂ）及び透明電極（ａと交差する。 また、図示しなかったが、このセルは放電の時Ｒ、Ｇ、Ｂ何れかの光を発光する蛍光物質を持つ。
【０００６】
このような放電セル内の電極構造を持つ従来プラズマディスプレイパネルで、スキャン電極１０１とサステイン電極１０２の対応する透明電極（a）とセル内の対応するアドレス電極に対応する電圧が印加されれば、セルに放電が発生して、蛍光物質が発光して画像を表示する。
【０００７】
プラズマディスプレイパネル各部分での輝度特性が図３に示される。もし該当の信号、 例えば１８０Ｖ、 １．１４Ａの信号が各スキャン電極及びサステイン電極に印加されれば、 上部基板１００のＡ１〜Ａ５区間では平均１５９．２の輝度が現われて、Ａ６〜Ａ１０区間では平均１５６．２の輝度が現われて、Ａ１１〜Ａ１５区間では平均１５３の輝度が現われて、Ａ１６〜Ａ２０区間では平均１５７．４の輝度が現われて、Ａ２１〜Ａ２５区間では平均１６０．８の輝度が現われる。すなわち、もし等しい信号をプラズマディスプレイパネルに形成されたスキャン電極及びサステイン電極に印加すれば、 プラズマディスプレイパネルの上部基板１００縦長方向において部分別で現われる輝度がお互いに異なり現われる。
【０００８】
このように表示面であるプラズマディスプレイパネルに対応する上部基板で部分別で現われる輝度ばらつきは、プラズマディスプレイパネルの画質を低下させて、使用者にとってプラズマディスプレイパネルに対する信頼感を落とす問題点を惹起させる。
【発明の開示】
【発明が解決しようとする課題】
【０００９】
本発明の目的は、少なくとも背景技術の問題点及び短所を解決することにある。
また、本発明の目的はプラズマディスプレイパネルの輝度偏差を望ましく減少させるプラズマディスプレイパネルを提供するすることにある。
【課題を解決するための手段】
【００１０】
本発明の一実施形態によるプラズマディスプレイパネルは上部基板、 前記上部基板上に形成された複数のスキャン電極及びサステイン電極を備えて、 前記上部基板を縦長方向で上側部、中央部、下側部の領域で分けて前記上部基板の中央部領域に位置する接した前記スキャン電極間の間隔及びサステイン電極の間の間隔は前記上部基板の下側部または上側部に位置するスキャン電極間の間隔及びサステイン電極の間の間隔と異なることを特徴とする。
【００１１】
本発明の一実施形態によるプラズマディスプレイパネルは上部基板、 前記上部基板上に形成された複数のスキャン電極及びサステイン電極を備えて、 前記上部基板を縦長方向で上側部、中央部、下側部の領域で分けて前記上部基板の中央部領域に位置するスキャン電極とサステイン電極の間の間隔は前記上部基板の下側部または上側部に位置するスキャン電極とサステイン電極の間の間隔と異なることを特徴とする。
【００１２】
本発明の一実施形態によるまた他のプラズマディスプレイパネルは上部基板、 前記上部基板上にそれぞれ透明電極とバス電極からなり形成された複数のスキャン電極及びサステイン電極を備えて、前記上部基板を縦長方向で上側部、中央部、下側部の領域で分けて前記上部基板の中央部領域に位置するスキャン電極の透明電極とサステイン電極の透明電極の間の間隔は前記上部基板の下側部または上側部に位置するスキャン電極の透明電極とサステイン電極の透明電極の間の間隔と異なることを特徴とする。
【００１３】
本発明の第１実施形態によれば、プラズマディスプレイパネルは、上部基板と、上部基板上に形成された複数のスキャン電極及びサステイン電極とを備え、上部基板は、上側部、中央部、及び下側部に垂直方向に分割され、上部基板の中央部に配置された隣接するスキャン電極間及び隣接するサステイン電極間の距離は、上部基板の上側部または下側部に配置されたスキャン電極間及びサステイン電極間の距離とは異なることを特徴とする。
前記上部基板の中央部領域は前記上部基板の縦長方向全体面に対して前記上部基板の中心スキャン電極及びサステイン電極ラインから前記上部基板の縦長方向上側及び下側方向に１０％領域であることを特徴とする。
【００１４】
前記上部基板の中央部領域に位置する接した前記スキャン電極間の間隔及びサステイン 電極の間の間隔は前記上部基板の下側部または上側部に位置するスキャン電極間の間隔及びサステイン電極の間の間隔より小さなことを特徴とする。
【００１５】
前記上部基板の縦長方向でそれぞれ等しい長さを持つ上側部、中央部、下側部の領域で分けて、各領域に含まれた前記スキャン電極間の間隔及び前記サステイン電極間の間隔はそれぞれ等しいことを特徴とする。
【００１６】
前記上部基板の縦長方向でそれぞれ等しい長さを持つ上側部、中央部、下側部領域で分けて、前記上部基板の各領域に含まれたスキャン電極間の間隔及びサステイン電極間の間隔は各領域別で前記上部基板の中央部で上側部または下側部に行くほどそれぞれ一定な増加量で大きくなることを特徴とする。
【００１７】
前記スキャン電極とサステイン電極はそれぞれバス電極だけで成ることを特徴とする。
【００１８】
本発明の第２実施形態による他のプラズマディスプレイパネルは上部基板と、前記上部基板上に形成された複数のスキャン電極及びサステイン電極を備えて、前記上部基板を縦長方向で上側部、中央部、下側部の領域で分けて前記上部基板の中央部領域に位置する接したスキャン電極とサステイン電極の間の間隔は前記上部基板の下側部または上側部に位置するスキャン電極とサステイン電極の間の間隔と異なることを特徴とする。
【００１９】
前記上部基板の中央部領域に位置する接したスキャン電極とサステイン電極の間の間隔は前記上部基板の下側部または上側部に位置するスキャン電極とサステイン電極の間の間隔より小さなことを特徴とする。
【００２０】
前記上部基板の縦長方向でそれぞれ等しい長さを持つ上側部、中央部、下側部の領域で分けて、 各領域に含まれた前記スキャン電極とサステイン電極の間の間隔はそれぞれ等しいことを特徴とする。
【００２１】
前記上部基板の縦長方向でそれぞれ等しい長さを持つ上側部、中央部、下側部の領域で分けて、 前記上部基板の各領域に含まれたスキャン電極とサステイン電極の間の間隔は各領域別で前記上部基板の中央部で上側部または下側部に行くほどそれぞれ一定な増加量で大きくなることを特徴とする。
【００２２】
前記スキャン電極とサステイン電極はそれぞれバス電極だけで成ることを特徴とする。
【００２３】
本発明の第３実施形態によるまた他のプラズマディスプレイ装置は上部基板、 前記上部基板上にそれぞれ透明電極とバス電極からなり形成された複数のスキャン電極及びサステイン電極を備えて、前記上部基板を縦長方向で上側部、中央部、下側部の領域で分けて前記上部基板の中央部領域に位置する接したスキャン電極の透明電極とサステイン電極の透明電極の間の間隔は前記上部基板の下側部または上側部に位置するスキャン電極の透明電極とサステイン電極の透明電極の間の間隔と異なることを特徴とする。
【００２４】
前記上部基板の中央部領域は前記上部基板の縦長方向全体面に対して前記上部基板の中心スキャン電極及びサステイン電極ラインから前記上部基板の縦長方向上側及び下側方向で１０％領域であるのを特徴とする。
【００２５】
前記上部基板の中央部領域に位置する接した前記スキャン電極の透明電極とサステイン電極の透明電極の間の間隔は前記上部基板の下側部または上側部に位置する前記スキャン電極の透明電極とサステイン電極の透明電極の間の間隔より小さなことを特徴とする。
【００２６】
前記上部基板の縦長方向でそれぞれ等しい長さを持つ上側部、中央部、下側部の領域で分けて、 各領域に含まれた前記スキャン電極の透明電極とサステイン電極の透明電極の間の間隔はそれぞれ等しいことを特徴とする。
【００２７】
前記上部基板の縦長方向でそれぞれ等しい長さを持つ上側部、中央部、下側部の領域で分けて、 前記上部基板の各領域に含まれたスキャン電極の透明電極とサステイン電極の透明電極の間の間隔は各領域別で前記上部基板の中央部で上側部または下側部に行くほどそれぞれ一定な増加量で大きくなることを特徴とする。
【００２８】
本発明はスキャン電極とサステイン電極がそれぞれバス電極だけで構成されるのを特徴とする。
【発明の効果】
【００２９】
このような本発明は、プラズマディスプレイパネルに形成された電極構造及び電極の配置を改善することで、プラズマディスプレイパネル駆動の時発生される輝度偏差を減少させることができる效果がある。
【発明を実施するための最良の形態】
【００３０】
以下、本発明の実施形態を添付した図面を参照して詳しく説明する。
【００３１】
図４はプラズマディスプレイパネルの構造を示す図である。 前記基板１００は画像がディスプレイされる表示面で役目して、下部基板１１０は背面の役目をする。 前記基板と下部基板は選定された間隔を置いて並んで結合される。
【００３２】
上部基板１００は対になったスキャン電極１０１とサステイン電極１０２、すなわち、 透明電極(インジウム錫酸化物)ＩＴＯ材料になった透明電極（１０１ａ、１０２ａ）、及び金属材料になったバス電極（１０１ｂ、１０２ｂ）を持って、セルに放電を発生させてセルの放電を維持するための対になったスキャン電極１０１とサステイン電極１０２を備える。 スキャン電極１０１とサステイン電極１０２は放電電流を制限して電極対を絶縁するための誘電体層１０３と、誘電体層１０３上の放電条件を容易くするための酸化マグネシウム（ＭｇＯ）になった保護層１０４で覆われる。 分かるように、一つの絶縁材料が前記誘電体層及び保護層代りに使われることができる。
【００３３】
下部基板１１０は、複数の放電空間、 すなわち放電セルを発生するために平行に配列されたストライプ型(またはウェル型) 隔壁１１１を含む。さらに、複数のアドレス電極１１２は隔壁１１１と並んで配列される。 下部基板１１０はセル内の放電の時画像を表示するための可視光線を発光するＲ、Ｇ、Ｂ 蛍光物質で覆われる。アドレス電極１１２を保護して蛍光物質から放出される可視光線を上部基板１００に反射するために誘電層１１４がアドレス電極１１２と蛍光物質１１３の間に提供される。代替実施形態で、隔壁でアドレス電極方向に配置される代りに、隔壁はスキャン/サステイン電極方向でも形成されることができる。このプラズマディスプレイパネルはＲ、Ｇ、Ｂセルの行よりはデルタ構成に形成されたＲ、Ｇ、Ｂセルを持つことができる。
＜第１実施形態＞
【００３４】
図５ａは、本発明の第１実施形態によるプラズマディスプレイパネルの電極配置構造を説明するための図である。図示するように、上部基板１００上の放電セル内に複数のスキャン電極（Ｙ１〜Ｙｎ）とサステイン電極（Ｚ１〜Ｚｎ）が対になってそれぞれ配置される。スキャン電極は、電極パッド５１を始点として設けられるか、または、スキャンドライバー（図示せず）から提供される。 サステイン電極は、電極パッド(５２)を始点として設けられるか、または、サステインドライバー（図示せず）から提供される。電極パッド及び/またはドライバーの詳細内容は、技術分野の熟練者が容易く分かるから、その説明は略する。
【００３５】
上部基板１００は、望ましくは区間Ａ１−Ａ１０のような領域Ｓ１及びＳ２を含む上部領域、 区間Ａ１１−Ａ１５のような領域Ｓ３を含む中心領域、 及び区間Ａ１６−Ａ２５のような領域Ｓ４及びＳ５を含む下部領域に分割される。図示するように、中心領域に位置する電極対のスキャン電極の間の間隔ｄまたは電極対のサステイン電極の間の間隔ｄは異なるとか、または下部領域または上部領域に位置した電極対のスキャン電極の間の間隔（ｄ＋Δｄまたはｄ＋２Δｄ)または電極対のサステイン電極の間の間隔（ｄ＋Δｄ または ｄ＋２Δｄ）によって変わる。 中心領域に位置したスキャン電極の間の間隔またはサステイン電極の間の間隔は、下部領域及び/または上部領域に位置したスキャン電極の間の間隔またはサステイン電極の間の間隔より小さい。
【００３６】
スキャン電極間の間隔及びサステイン電極間の間隔は、図５Ｂ-５Ｃに示すように、接する電極対のスキャン電極の間または接する電極対のサステイン電極の間の間隔を示すことに留意しなければならない。選択的に、この間隔は、図５Ｄに示すように、接するコラムセルの間の間隔として定義されることができる。スキャン電極とサステイン電極は透明電極とバス電極で構成されたが、スキャン電極またはサステイン電極は、材料、費用及び/またはセル大きさを減少させるために単一透明電極または単一バス電極で構成されることができる。
【００３７】
中心領域に位置したスキャン電極の間の間隔及びサステイン電極の間の間隔が、下部または上部領域に位置したスキャン電極の間の間隔またはサステイン電極の間の間隔より小さいから、 パネルの上部区間及び下部区間より中心区間でより大きい放電または明るい発光が提供されることができる。
【００３８】
図５ａは、全体的に本発明の新規かつ非自明な一面を例示するために図示された。二つの電極対が上部、中心及び下部区間に図示されたが、技術分野の熟練者は、各区間分類及び/または分割内の電極対の数は解像度に基礎するということが分かる。例えば、 もしプラズマディスプレイパネルの水平解像度が４８０なら、４８０電極対、すなわちＹ1 Ｚ1 ないしＹ４８０Ｚ480が存在する場合、選定された数の電極対は、上部、中心及び下部領域で分類されるであろう。それぞれの領域に複数の電極対が存在する場合、スキャン電極またはサステイン電極の間の間隔（ｄ、ｄ＋Δ、ｄ ＋ ２Δｄ、など)は、以下に示すコラム方向セル間又は電極対の電極間で測定される。
【００３９】
（１）スキャン電極（Ｙｎ）とスキャン電極Ｙ（ｎ＋1）との間の間隔、ここでｎ＝1、２、３、４、５、６、７など(奇数)；または
【００４０】
（２）サステイン電極（Ｚｎ)とサステイン電極（Ｚ（ｎ＋1））との間の間隔、ここでｎ ＝ 1、２、３、４、５、６、７等、または
【００４１】
（３）コラム方向でのローセル（Ｃｎ）及び(C(n+１)) の間の間隔、ここでｎ＝1、２、３、４、５、６、７など。
【００４２】
当業者に明らかなように、電極対またはセルのラベリングは任意である。もし第１電極対（Ｙ１Ｚ１）がＹ０Ｚ０にラベリングされれば、当業者はｎ＝０，４，６，７等（偶数）ということを容易に理解するであろう。
図５ｅは、図５ａに係る実施形態の変形例であり、各領域に複数の電極対が存在し、スキャン電極間またはサステイン電極間の距離（ｄ，ｄ＋Ｄｄ，ｄ＋２Ｄ，ｅｔｃ）は、以下に示す、電極対の電極間、または、コラム方向のセル間で測定される。
【００４３】
（１）スキャン電極（Ｙｎ）とスキャン電極Ｙ（ｎ＋1）との間の間隔、ここでｎ＝1、２、３、４、５、６、７など；または
【００４４】
（２）サステイン電極（Ｚｎ)とサステイン電極Ｚ（ｎ＋1）との間の間隔、ここでｎ ＝ 1、２、３、４、５、６、７等；または
【００４５】
（３）コラム方向でのセルＣｎとC(n+１) の中心間の間隔、ここでｎ＝1、２、３、４、５、６、７など。
【００４６】
当業者に明らかなように、電極対またはセルのラベリングは任意的である。もし、第１電極対Ｙ１Ｚ１がＹ０Ｚ０にラベリングされれば、ｎ＝０、１、２、３、４、５、６、７等ということを当業者は容易に理解するであろう。。
【００４７】
また、図５Ｂ−５Ｄの細部内容は本実施形態に適用可能である。
【００４８】
上部基板上に電極を作る過程を容易にするのために、上部基板の中心区間の大きさ及び面積が上部基板の上部区間及び下部区間のそれと同じく設定されたが、上部基板の中心領域はスキャン電極の間及びサステイン電極の間の各間隔が前述したのように調整されることができるように、スキャン電極とサステイン電極の中心線から上及び下方向に上部基板の全体垂直面の少なくとも１０％に設定される。 例えば、もし４８０個の電極対が存在する場合、区間Ａ１１−Ａ１５の中心領域に少なくとも４８個の電極対が提供される。これはプラズマパネル装置の解像度に基礎して容易く調整される。
【００４９】
これは上部基板で現われた輝度偏差を最適に減らすためである。すなわち、上部基板の中央区間領域を上部基板の中心スキャン電極及びサステイン電極ラインから上部基板の縦長方向上層及び下側方向で１０％領域以上に設定して、スキャン電極間及びサステイン電極間の間隔を本発明と共に調節すれば、上部区間と下部領域で中心領域より輝度特性がさらに良くなって全体的に輝度が一致するからである。
【００５０】
二つの実施形態で、上部基板の上部区間、中央区間及び下部区間のそれぞれに位置したスキャン電極間の間の間隔及びサステイン電極の間の間隔は異なることが好ましい。 図５ａ及び図５ｅで、区間（Ａ１−Ａ５）及び区間（Ａ６−Ａ１０）の上部領域及び区間（Ａ１６−Ａ２０）及び区間（Ａ２１−Ａ２５）の下部領域でスキャン電極間の間隔及びサステイン電極間の間隔は区間（Ａ１１−Ａ１５）の中心領域に位置されたスキャン電極及びサステイン電極の中心線からΔＤｄ (間隔ｄの分数)増加する。
【００５１】
例えば、上部基板１００の区間（Ａ１１−Ａ１５）を含む中心領域Ｓ３上に位置した二つのスキャン電極またはサステイン電極の間の間隔はｄである。下及び/または上、すなわち区間（Ａ１６−Ａ２０）を含む領域Ｓ４及び/または区間（Ａ６−Ａ１０）を含む領域Ｓ２、及び中心領Ｓ３でスキャン電極の間の間隔またはサステイン電極の間の間隔は、ｄ＋Δｄである。区間（Ａ１−Ａ５）を含む領域Ｓ１及び/または区間（Ａ２１−Ａ２５）を含む領域Ｓ５でスキャン電極の間の間隔またはサステイン電極の間の間隔はｄ＋２Δｄ、すなわち以前上部領域及び/または下部領域の間の間隔よりΔｄ大きい。
【００５２】
図示されなかったが、もし付随的な上部領域及び/または下部領域が区間（Ａ１−Ａ５）上及び/または区間（Ａ２１−Ａ２５）下に提供されれば、前記付随的な領域はｄ＋３Δｄ及びその後＋４Δｄの間隔を含むことができる。中心区間の上及び/または下の区間の数はプラズマディスプレイパネルの大きさ及び/または輝度特性による。区間の数によって、この間隔はｍΔｄ位増加されることができる。ここでｍ＝１ないし８、望ましくはｍは４以下である。
【００５３】
例示された実施形態で、中心領域の上及び下に同等な数の領域が存在するように図示されたが、このような均一な数の領域は絶対的に必要ではない。例えば、中心領域下の領域の数より中心領域の上の領域の数が多いことがある。 例えば、たとえ上部区間の大きさ及び/または領域が下部区間と等しくても、下部領域より上部領域で多いとか少ない数の分割が存在することができる。
【００５４】
さらに、図５ａ及び図５ｅは、大きさ及び/または領域が均一な領域を示す。しかし、このような例示は、各領域がその大きさ及び/または領域が均一する必要がないから例示的なのである。例えば、中心領域（Ａ１１−Ａ１５）の大きさ/領域は、上部領域（Ａ６−Ａ１０またはＡ１−Ａ５)の大きさ/領域、及び/または、下部領域（Ａ１６−Ａ２０またはＡ２１−Ａ２５）の大きさ/領域より大きいとか小さいことがある。選択的にまたは付随的に、上部領域（Ａ６−Ａ１０）の大きさ/領域は、下部領域（Ａ１６−Ａ２０）の大きさ/領域より小さいとか大きいことができるが、ここで上部領域（Ａ１−Ａ５）の大きさ/ 領域は下部領域（Ａ２１−Ａ２５）の大きさ/領域よりそれぞれ大きいとか小さいだろう。他の変形は本開示に基礎して技術分野の熟練者に容易いだろう。
【００５５】
図５ａ及び図５ｅは、またΔｄで均一に増加することを示すが、本発明は下部及び上部領域でこのような均一な増加分に限定されない。 例えば、上部領域は２Δｄの増加分で増加するのに比べて、下部領域はΔｄの増加分で増加することができるし、その逆も可能である。
選択的に及び/または付随的に、領域（Ａ１６−Ａ２０）での間隔はｄ＋Δｄであり、領域（Ａ２１−Ａ２５）での間隔はｄ＋３Δｄであるのに比べて、上部領域Ｓ１及びＳ２は均一に増加する。 他の変形は本開示に基礎して当業者には容易に理解できるであろう。
【００５６】
図６は、１８０Ｖ、１．１４Ａの信号がスキャン電極及びサステイン電極それぞれに印加される場合、図５ａないし図５ｅに示すような電極配置構造を持つプラズマディスプレイパネル各部分での輝度を説明するための図である。
【００５７】
上部基板の区間Ａ１〜Ａ５を含む領域Ｓ１は１５６の平均輝度を示すようになり、Ａ６〜Ａ１０を含む領域Ｓ２は１５６．２の平均輝度を示すようになり、Ａ１１〜Ａ１５を含む領域Ｓ３は１５７の平均輝度を示すようになり、Ａ１６〜Ａ２０を含む領域Ｓ４は１５６．６の平均輝度を示すようになって、Ａ２１〜Ａ２５を含む領域S５は１５６．６の平均輝度を示すようになる。
【００５８】
本発明のプラズマディスプレイパネルは、上部基板の垂直方向に比較的小さなエラー範囲内で実質的に持続的な輝度を示す。 プラズマディスプレイパネルでの垂直輝度偏差を減らすことができる。
<本発明の他の実施形態>
【００５９】
図７は、本発明の他の実施形態によるプラズマディスプレイパネルの放電セル内の電極構造を示す。プラズマディスプレイパネルの放電セル内の電極構造は、図５ａ及び図５ｅと類似の領域（Ｓ１−Ｓ５）に分割される。しかし、本実施形態は、領域（Ｓ１−Ｓ５）にかけて間隔が一定に維持されたまま、以前の実施形態または各実施形態の間隔ｄが変化されて使われることができる。
電極対のスキャン電極１０１及びサステイン電極１０２は、透明電極ａ及びバス電極ｂを含む。中心領域（Ｓ３）に位置した放電セル８０内のスキャン電極１０１とサステイン電極１０２の透明電極間の間隔またはギャップｇの距離は異なる、すなわち下部領域（Ｓ１、Ｓ２）または上部領域（Ｓ４、Ｓ５）に位置した放電セル(８１または８２) 内のスキャン電極１０１とサステイン電極１０２ の透明電極の間隔またはギャップの距離、即ちｇ＋ｘΔｇ（ここで Ｄｇはギャップｇの分数であり、ｘは１から８望ましくは４以下）、から異なる即ち小さくなる。
【００６０】
透明電極の間のギャップが中心領域に対して比較的小さいから本実施形態による放電セル内電極構造を持つプラズマディスプレイパネルは、プラズマディスプレイパネルでの輝度偏差を減らす。すなわち、等しい信号を印加して発生される発光量は上部基板の中心領域に位置した放電セルで比較的大きい。
【００６１】
図８は等しい信号、すなわち、１８０Ｖ、１．１４Ａの信号がスキャン電極とサステイン電極のそれぞれに印加される場合の図７の電極構造を持つプラズマディスプレイパネル各区間での輝度特性を説明するための図面である。上部基板の区間Ａ１〜Ａ５を含む領域 Ｓ１は、１５６．８の平均輝度を示し、区間Ａ６〜Ａ１０を含む領域Ｓ２は１５７．４の平均輝度を示し、区間Ａ１１〜Ａ１５を含む領域Ｓ３は１５７．６の平均輝度を示し、区間Ａ１６〜Ａ２０を含む領域S４は１５６．６の平均輝度を示して、区間Ａ２１〜Ａ２５を含む領域Ｓ５は１５６．８の平均輝度を示す。本発明のプラズマディスプレイパネルは、上部基板の実質的にすべての垂直領域で比較的小さなエラー範囲を持つ持続的な輝度を現わす。
【００６２】
上部基板上に電極を作る過程を容易にするのために、上部基板の中心区間の大きさ及び面積が上部基板の上部区間及び下部区間のそれと同じように設定されたが、上部基板の中心領域は、スキャン電極の間及びサステイン電極の間の各間隔が上述したのように調整されることができるように、スキャン電極とサステイン電極の中心線から上及び下方向に上部基板の全体垂直面の少なくとも１０％になるように設定される。例えば、もし４８０個の電極対が存在する場合、区間Ａ１１−Ａ１５の中心領域に少なくとも４８個の電極対が提供される。これはプラズマパネル装置の解像度に基礎して容易に調整される。 
【００６３】
図示されなかったが、もし、付随的な上部領域及び/または下部領域が区間（Ａ１−Ａ５）の上及び/または区間（Ａ２１−Ａ２５）下に提供されれば、前記付随的な領域はｄ＋３Δｄ及びその後＋４Δｄの間隔を含むことができる。中心区間の上及び/または下の区間の数はプラズマディスプレイパネルの大きさ及び/または輝度特性による。区間の数によって、 この間隔はｍΔｄ位増加されることができて、ここでｍ＝１ないし８、望ましくはｍは４以下である。
【００６４】
例示された実施形態で、中心領域の上及び下に同等な数の領域が存在することに図示されたが、このような均一な数の領域は絶対的に必要ではない。例えば、中心領域下の領域の数より中心領域の上の領域の数が多いことがある。例えば、たとえ上部区間の大きさ及び/または領域が下部区間と等しくても、下部領域より上部領域で多いとか少ない数の分割が存在することができる。
【００６５】
図５ａ及び図５ｅに対する説明と類似に、 各領域がその大きさ及び/または領域が均一な必要はない。例えば、中心領域(A１１-A１５)の大きさ/領域は、上部領域（Ａ６−Ａ１０またはＡ１−Ａ５）の大きさ/領域、及び/または、下部領域(Ａ１６−Ａ２０ またはＡ２１−Ａ２５)の大きさ/領域より大きいとか小さいことがある。選択的にまたは付随的に、上部領域（Ａ６−Ａ１０）の大きさ/領域は、下部領域(A１６-A２０)の大きさ/領域より小さいとか大きくなることができるが、この場合、上部領域(A１-A５)の大きさ/領域は、下部領域(A２１-A２５）の大きさ/領域よりそれぞれ大きいとか小さくなる。他の変形は本開示に基礎して当業者に容易に理解できるであろう。
【００６６】
本発明は下部及び上部領域で均一な増加分に限定されない。 例えば、上部領域は２Δｄの増加分で増加するのに比べて、 下部領域はΔｄの増加分で増加することができるし、 その逆も可能である。選択的に及び/または付随的に、 領域（Ａ１６−Ａ２０）での間隔は ｄ＋Δｄであることがあって、領域（Ａ２１−Ａ２５）での間隔はｄ＋３Δｄであることがあるのに比べて、上部領域Ｓ１及び S２は均一に増加する。 他の変形は本開示に基礎して当業者に容易に理解できるであろう。
【００６７】
このような放電セル内の電極構造を持つ本発明のプラズマディスプレイパネルは、上部基板の縦長方向の中心領域に位置する中心領域に含まれた放電セル内での透明電極の間のギャップが相対的に細くなって、また、透明電極の総面積が増加して等しい信号による発光量が相対的にさらに多くなるのでプラズマディスプレイパネルの縦長方向の輝度偏差を償う。 輝度偏差でのこのような減少が可能であるから、スキャン/サステイン電極対のインダクタンスが異なっても、スキャン/サステイン電極対の長さは中心領域と比べて上部及び下部領域で長い。
【００６８】
前記実施形態及び長所は単純に例示的なことであり、 本発明を制限することに解釈されてはいけない。本発明の教えることは他の類型の装置に容易く適用することができる。本発明の説明は例示的で、特許請求の範囲を限定しないように意図されてある。 多くの代替実施形態、変形及び変化が技術分野の熟練者に明確だろう。請求範囲で、ｍｅａｎｓ−ｐｌｕｓ−ｆｕｎｃｔｉｏｎ節は引用された機能を遂行することに説明された構造、及び構造的等価物だけではなく等価物構造物を包括するように意図されてある。
【図面の簡単な説明】
【００６９】
【図１】プラズマディスプレイパネルの電極配置構造を示す図。
【図２】プラズマディスプレイパネルの放電セル内での電極構造を示す図。
【図３】プラズマディスプレイパネルの表示面である上部基板で現われた輝度特性を説明するための図。
【図４】プラズマディスプレイパネルの構造を示す図。
【図５ａ】図５ａは本発明の実施形態によるプラズマディスプレイパネルの電極配置構造を説明するための図。
【図５ｂ】図５ｂないし−５ｄは図５ａの詳細図。
【図５ｃ】図５ｂないし−５ｄは図５ａの詳細図。
【図５ｄ】図５ｂないし−５ｄは図５ａの詳細図。
【図５ｅ】図５ｅは本発明によるプラズマディスプレイパネルの他の電極配置を示す構造図。
【図６】図５ａないし図５ｅの電極配置構造を持つプラズマディスプレイパネル各部分での輝度を説明するための図。
【図７】本発明の他の実施形態によるプラズマディスプレイパネルの放電セル内の電極構造を示す図。
【図８】図７の電極構造を持つプラズマディスプレイパネル各部分での輝度を説明するための図である。
【図１】
2006120633.tif 000003
【図２】
2006120633.tif 000004
【図３】
2006120633.tif 000005
【図４】
2006120633.tif 000006
【図５ａ】
2006120633.tif 000007
【図５ｂ】
2006120633.tif 000008
【図５ｃ】
2006120633.tif 000009
【図５ｄ】
2006120633.tif 000010
【図５ｅ】
2006120633.tif 000011
【図６】
2006120633.tif 000012
【図７】
2006120633.tif 000013
【図８】
2006120633.tif 000014
【外国語明細書】
Title of Invention
PLASMA DISPLAY APPARATUS AND DRIVING METHOD THEREOF
This Nonprovisional application claims priority under 35 U.S.C. § 119(a) on Patent Application No. 10-2004-0083311 filed in Korea on October 18, 2004, the entire contents of which are hereby incorporated by reference.
BACKGROUND OF THE INVENTION
Field of the Invention
・  The present invention generally relates to a display device, and more particularly, to a plasma display panel.
Description of the Background Art
・  Generally, the plasma display panel is a display device which includes an upper substrate, a lower substrate, and a barrier rib that is produced between the upper substrate and the lower substrate.  Each cell is mainly filled with discharge gas such as Ne, He, or Ne+He and also contains inert gas, such as small amount of xenon.  Upon being discharged by applying high frequency voltage, the inert gas generates ultraviolet rays (preferably vacuum ultraviolet rays), thereby to emit light by fluorescent substance on the lower substrate and/or the barrier ribs to realize an image.   Such plasma display panels are relatively thin and lightweight and are preferable as next generation display device compared to CRT or LCD.
・  FIG.1 is a structural diagram that shows the electrode arrangement of a plasma display panel.  As shown, the electrode arrangement of plasma display panel includes a plurality of scan electrodes Y1 to Yn and a plurality of sustain electrodes Z1 to Zn, which are respectively paired.  The scan electrodes and the sustain electrodes are originated from the scan electrode pad 21 and sustain electrode pad 22 and on the upper substrate 100.   The distance between the plurality of scan electrodes is uniformly maintained within error range through the upper substrate 100, and the distance between the plurality of sustain electrodes is uniformly maintained within the error range through the upper substrate 100.  Further, the distance between the scan electrodes and the sustain electrodes maintain uniformly.   
・  In a plasma display panel with such electrode structure, the electrode structure within discharge cell is shown in FIG. 2.  The  electrode structure within discharge cell of the plasma display panel include a bus electrode b of the scan electrode 101 and the sustain electrode 102 formed on both side of the discharge cell, respectively on an upper substrate, and a transparent electrode a of the scan electrode 101 and the sustain electrode 102 formed respectively on both side which each bus electrode b are formed so that they are opposite each other while leaving center of a discharge cell between them.  
・  Corresponding address electrode on a lower substrate crosses with the bus electrode b and the transparent electrode a within each discharge cell.  Although not shown, the cell has fluorescent materials within the discharge cell for emitting R, G, and B rays upon cell discharge.  
・  In the plasma display panel with such electrode structure within discharge cell, if corresponding voltages are provided to corresponding transparent electrode a of the scan electrode 101 and the sustain electrode 102 and the corresponding address electrode within a cell, a discharge occurs in the cell and the fluorescent materials emit light, thereby to display image.
・  The luminance property in each section of the plasma display panel is shown in FIG. 3.  If the corresponding signals, i.e. signals of 180V, 1.14A, are applied to each of the scan electrodes and the sustain electrodes, sections A1 to A5 exhibits an average luminance of 159.2, sections A6 to A10 exhibits an average luminance of 156.2, sections A11 to A15 exhibits an average luminance of 153, sections A16 to A20 exhibits an average luminance of 157.4, and sections A21 to A25 exhibits an average luminance of 160.8.  In other words, if the same signals are applied to the scan electrodes and the sustain electrodes formed in the plasma display panel, each section in the upper substrate 100 of the plasma display panel exhibits different luminance.
・  Such luminance irregularity to be exhibited in all sections of the upper substrate corresponding to a display plane of the plasma display panel causes deterioration of image quality, and decreased reliance of the plasma display panel.
SUMMARY OF THE INVENTION
・  Accordingly, an object of the present invention is to solve at least the problems and disadvantages of the background art.
・  This present invention is to provide a plasma display panel that preferably reduces luminance difference of plasma display panel. 
・  According to one embodiment of this invention, the plasma display panel comprises an upper substrate, and a plurality of scan electrodes and sustain electrodes that are formed on the upper substrate, and is characterized that the upper substrate is divided vertically into an upper section, a center section and a lower section such that a distance between adjacent scan electrodes and between adjacent sustain electrodes located in the center section of the upper substrate if different from a distance between the scan electrodes and between the sustain electrodes located in the upper section or the lower section of the upper substrate.
・  According to an embodiment of this invention, a plasma display panel comprises an upper substrate, and a plurality of scan electrodes and sustain electrodes that is formed on the upper substrate, and is characterized that the upper substrate is divided vertically into an upper section, a center section and a lower section such that a distance between the scan electrodes and the sustain electrodes that are located in the center section of the upper substrate is different from a distance between the scan electrodes and the sustain electrodes that are located in the upper section or the lower section of the upper substrate.
・  According to an embodiment of this invention, a plasma display panel comprises an upper substrate, and a plurality of scan electrodes and sustain electrodes that are consisted of transparent electrodes and bus electrodes respectively on the upper substrate, and is characterized that the upper substrate is divided vertically into an upper section, a center section and a lower section such that a distance between the transparent electrodes of the scan electrodes and the transparent electrodes of the sustain electrodes located in the center section of the upper substrate is different from a distance between the transparent electrodes of the scan electrodes and the transparent electrodes of the sustain electrodes located in the upper section or the lower section of the upper substrate.
・  According to first embodiment of this invention, the plasma display panel comprises an upper substrate, and a plurality of scan electrodes and sustain electrodes that is formed on the upper substrate, and is characterized that the upper substrate is divided vertically into an upper section, a center section and a lower section such that a distance between adjacent scan electrodes and between adjacent sustain electrodes located in the center section of the upper substrate is different from a distance between the scan electrodes and between the sustain electrodes located in the upper section or the lower section of the upper substrate.
・  The invention is characterized in that the center section of the upper substrate is set to be 10% of vertical entire plane of the upper substrate in vertical direction from center line of the scan electrodes and the sustain electrodes of the upper substrate.
・  The invention is characterized in that a distance between the adjacent scan electrode and between the adjacent sustain electrode located in the center section of the upper substrate is defined smaller than a distance between the scan electrode and between the sustain electrode located in the upper section or the lower section of the upper substrate.
・  The invention is characterized in that the upper substrate is divided vertically into the upper section, the center section, and the lower section that have the same length respectively, each distance between the scan electrodes and between the sustain electrodes included in each section is the same respectively.
・  The invention is characterized in that the upper substrate is divided vertically into the upper section, the center section, and the lower section that have the same length respectively, and each distance between the scan electrodes and between the sustain electrodes included in each section of the upper substrate increases by constant amount respectively as it advances gradually from the center section of the upper substrate into the upper section or the lower section.
・  The invention is characterized in that the scan electrodes and the sustain electrodes is consisted of only bus electrodes respectively.
・  According to second embodiment of this invention, a plasma display panel comprises an upper substrate, and a plurality of scan electrodes and sustain electrodes that is formed on the upper substrate, and is characterized that the upper substrate is divided vertically into an upper section, a center section and a lower section such that a distance between the scan electrodes and the sustain electrodes that are located in the center section of the upper substrate is different from a distance between the scan electrodes and the sustain electrodes that are located in the upper section or the lower section of the upper substrate.
・  The invention is characterized in that the center section of the upper substrate is set to be 10% of vertical entire plane of the upper substrate in vertical direction from center line of the scan electrodes and the sustain electrodes of the upper substrate.
・  The invention is characterized in that the distance between the adjacent scan electrode and between the adjacent sustain electrode located in the center section of the upper substrate is defined smaller than the distance between the scan electrode and between the sustain electrode located in the upper section or the lower section of the upper substrate.
・  The invention is characterized in that the upper substrate is divided vertically into the upper section, the center section, and the lower section that have the same length respectively, each distance between the scan electrodes and between the sustain electrodes included in each section is the same respectively.
・  The invention is characterized in that the upper substrate is divided vertically into the upper section, the center section, and the lower section that have the same length respectively, and each distance between the scan electrodes and between the sustain electrodes included in each section of the upper substrate increases by constant amount respectively as it advances gradually from the center section of the upper substrate into the upper section or the lower section.
・  The invention is characterized in that the scan electrodes and the sustain electrodes is consisted of only bus electrodes respectively.
・  According to third embodiment of this invention, a plasma display panel comprises an upper substrate, and a plurality of scan electrodes and sustain electrodes that are consisted of transparent electrodes and bus electrodes respectively on the upper substrate, and is characterized that the upper substrate is divided vertically into an upper section, a center section and a lower section such that a distance between the transparent electrodes of the scan electrodes and the transparent electrodes of the sustain electrodes located in the center section of the upper substrate is different from a distance between the transparent electrodes of the scan electrodes and the transparent electrodes of the sustain electrodes located in the upper section or the lower section of the upper substrate.
・  The invention is characterized in that the center section of the upper substrate is set to be 10% of vertical entire plane of the upper substrate in vertical direction from center line of the scan electrodes and the sustain electrodes of the upper substrate.
・  The invention is characterized in that the distance between the adjacent scan electrode and between the adjacent sustain electrode located in the center section of the upper substrate is defined smaller than the distance between the scan electrode and between the sustain electrode located in the upper section or the lower section of the upper substrate.
・  The invention is characterized in that the upper substrate is divided vertically into the upper section, the center section, and the lower section that have the same length respectively, each distance between the scan electrodes and between the sustain electrodes included in each section is the same respectively.
・  The invention is characterized in that the upper substrate is divided vertically into the upper section, the center section, and the lower section that have the same length respectively, and each distance between the scan electrodes and between the sustain electrodes included in each section of the upper substrate increases by constant amount respectively as it advances gradually from the center section of the upper substrate into the upper section or the lower section.
・  The invention is characterized in that the scan electrodes and the sustain electrodes is consisted of only bus electrodes respectively.
・  The object can be achieved in parts or in a whole by a plasma display panel, comprising a plurality of paired electrodes, each paired electrode including a scan electrode and sustain electrode in a first direction; a plurality of address electrodes in a second direction, which is substantially perpendicular to the first direction; and a plurality of cells, each cell being formed near or at an intersection of corresponding paired electrode and address electrode, wherein the plurality of cells are divided into a plurality of areas, each area including at least two paired electrodes such that the at least two paired electrodes include first and second pairs, and a prescribed distance being formed between a scan electrode of the first pair and a scan electrode of a second pair or between a sustain electrode of the first pair and a sustain electrode of the second pair or between cells in the second direction, whereinthe prescribed distance of at least one area is different from the prescribed distance of at least one other area.
・  The object can be achieved in parts or in a whole by a plasma display panel comprising a plurality of scan electrodes arranged in a first direction; and a plurality of sustain electrodes arranged in the first direction, the first scan electrodes and the second sustain electrodes forming a plurality of electrode pairs and a scan electrode of a pair being spaced apart from a sustain electrode of the pair by a gap of a prescribed distance, wherein the plurality of electrode pairs being distributed between a plurality of regions, each region having at least one electrode pair, and the prescribed distance of at least one region is different from the prescribed distance of at least one other region.
・  The objects can be achieved in parts or in a whole by amethod of making a plasma display panel comprising providing an upper substrate having a plurality of paired electrodes, each paired electrode including a scan electrode and sustain electrode; providing a lower substrate having a plurality of address electrodes, and a plurality of barrier ribs, each discharge cell being  formed near or at an intersection of corresponding paired electrode and address electrode, wherein at least one of: (a) the plurality of cells are divided into a plurality of areas, each area including at least two paired electrodes such that the at least two paired electrodes include first and second pairs, and a prescribed distance being formed between a scan electrode of the first pair and a scan electrode of a second pair or between a sustain electrode of the first pair and a sustain electrode of the second pair or between cells in the second direction, and the prescribed distance of at least one area is different from the prescribed distance of at least one other area, or (b) a scan electrode of a paired electrode being spaced apart from a sustain electrode of the paired electrode by a gap of a prescribed distance, the plurality of paired electrodes being distributed between a plurality of regions, each region having at least one paired electrode, and the prescribed distance of at least one region is different from the prescribed distance of at least one other region.
・  Additional advantages, objects, and features of the invention will be set forth in part in the description which follows and in part will become apparent to those having ordinary skill in the art upon examination of the following or may be learned from practice of the invention.  The objects and advantages of the invention may be realized and attained as particularly pointed out in the appended claims.
BEST MODE OR DESCRIPTION OF EMBODIMENTS
・  FIG. 4 is a structural diagram showing a plasma display panel in accordance with an embodiment of the present invention.  An upper substrate 100 serves as a display plane on which image is to be displayed and a lower substrate 110 serves as a back plane.  The upper substrate 100 and the lower substrate are combined in parallel at a predetermined distance.
・  The upper substrate 100 includes paired scan electrodes 101 and sustain electrodes 102, i.e., paired scan electrodes 101 and sustain electrodes 102, having transparent electrodes 101a and 102a made of transparent (indium tin oxide) ITO material and bus electrodes 101b and 102b made of a metal material, for causing a discharge in a cell and maintaining the discharge in the cell.  The scan electrodes 101 and the sustain electrodes 102 are covered with a dielectric layer 103 for limiting discharge currents and for insulating the electrode pairs, and a protection layer 104 of Magnesium Oxide (MgO) for facilitating discharge conditions on the dielectric layer 103.  As can be appreciated, one insulating material may be used instead of the dielectric layer and a protection layer.
・  The lower substrate 110 includes barrier ribs 111 of stripe type (or well type) arranged in parallel for generating a plurality of discharge spaces, i.e. discharge cells.  Further, a plurality of address electrodes 112 are arranged in parallel with the barrier ribs 111.  The lower substrate 110 is spread with R, G, B fluorescent substance that emits visible rays for displaying image upon a discharge in the cell.  A dielectric 114 is provided between the address electrodes 112 and the fluorescent substance 113 for protecting the address electrodes 112 and reflecting visible rays emitted from the fluorescent substance to the upper substrate 100.  In alternative embodiments, the barrier ribs can be also formed in the direction of the scan/sustain electrodes in addition to the barrier ribs in the direction of the address electrodes.  The plasma display panel may have R, G, B cells formed in a delta configuration rather than in a row of R, G, B cells.
・  <Embodiment(s) of the Invention>
・  FIG.5A is a structural diagram that illustrates the electrode arrangement of a plasma display panel according to one embodiment of this invention.  As shown therein, a plurality of scan electrodes Y1 to Yn and sustain electrodes Z1 to Zn are paired respectively and arranged within discharge cell on a upper substrate 100.  The scan electrodes originate from an electrode pad 51 or are provided from scan driver (not shown).  The sustain electrodes originate from an electrode pad 52 or are provided form a sustain driver (not shown).  Since details of the electrode pads and/or drivers are appreciated by one of ordinary skill, such description is omitted. 
・  The upper substrate 100 is preferably divided or classified into an upper area including areas S1 and S2, e.g., sections A1-A10, a center area including area S3, e.g., sections A11-A15, and a lower area including areas S4 and S5, e.g., sections A16-A25.  As shown, a distance d between the scan electrodes of the electrode pairs or a distance d between the sustain electrodes of the electrode pairs located on the center section are different or varies from a distance (d+Dd or d+2Dd) between the scan electrodes of the electrode pairs or the distance (d+Dd or d+2Dd) between the sustain electrodes of the electrode pairs located on the lower area or upper area.  Preferably, the distance between the scan electrodes or between the sustain electrodes located on the center section is smaller than the distance between the scan electrodes or between the sustain electrodes located on the lower area and/or the upper area.
・  It should be noted that the distance between the scan electrodes and between the sustain electrodes refers to the distance between scan electrodes of adjacent electrode pairs or between sustain electrodes of adjacent electrode pair, as shown in Figures 5B-5C.  Alternatively, the distance may be defined as a distance between adjacent column cells, as shown in Figure 5D.  While the scan electrodes and the sustain electrodes are preferably of transparent electrodes and bus electrodes, the scan electrode or sustain electrode may be a single transparent electrode or a single bus electrode to reduce material cost and/or cell size.
・  Because the distance between the scan electrodes or between the sustain electrodes located on the center area is smaller than the distance between the scan electrodes or between the sustain electrodes located on the lower area or the upper area, a larger discharge or brighter light emission is provided in the center section of the panel than those on the upper section and lower section.
・  Figure 5A has been drawn generally to illustrate the novel and non-obvious aspect of the invention.  Although two electrode pairs are shown for upper, center and lower sections, one of ordinary skill will appreciate that the number of electrode pairs within each section classification and/or division is based on a resolution.  For example, if the horizontal resolution of the plasma display panel is 480, where there are preferably 480 electrode pairs, i.e., Y1 Z1 to Y480Z480, a prescribed number of electrode pairs would classified into the upper, center and lower area.  Where there are multiple electrode pairs in each area, the distance (d, d+D, d + 2Dd, etc.) between scan electrodes or sustain electrodes is measured between the following electrodes of the electrode pairs or between cells in a column direction:
・  (1) distance between scan electrode Yn and scan electrode Y (n+1), where n= 1, 3, 5, 7, 9, etc. (odd numbers); or
・  (2) distance between sustain electrode Zn and sustain electrode Z (n+1), where n = 1, 3, 5, 7, 9, etc; or 
・  (3) distance between row cells Cn and C(n+1) in a column direction, where n = 1, 3, 5, 7, 9, etc. 
・  As can be appreciated by one of ordinary skill in the art, the labeling of the electrode pairs or cells is arbitrary.  If the first electrode pair Y1Z1is labeled as Y0Z0, one of ordinary skill in the art can readily appreciate that n=0, 2, 4, 6, 7, etc (even numbers). 
・  Figure 5E illustrates a variation of the embodiment of Figure 5A.  In this variation embodiment, where there are multiple electrode pairs in each area, the distance (d, d+Dd, d+2D, etc) between scan electrodes or sustain electrodes is measured between the following electrodes of the electrode pairs or between cells in a column direction:
・  (1) distance between scan electrode Yn and Y(n+1),where n = 1, 2, 3, 4, 5, 6, 7, etc; or 
・  (2) distance between sustain electrode Zn and Z(n+1), where n=1, 2, 3, 4, 5, 6, 7, etc; or 
・  (3) distance between center of cells Cn and C(n+1) in a column direction, where n = 1, 2, 3, 4, 5, 6, 7, etc. 
・  As can be appreciated by one of ordinary skill, the labeling of the electrode pairs or row cells is arbitrary.  If the first electrode pair Y1Z1is labeled as Y0Z0, one of ordinary skill can readily appreciate that n = 0, 1, 2, 3, 4, 5, 6, 7, etc.  Further, the details of Figures 5B-5D is applicable to this embodiment.  
・  Although it is preferable that size or area of the center section of the upper substrate is set equally to that of the upper section and the lower section of the upper substrate for facilitating the process of producing electrodes on the upper substrate, the center area of the upper substrate is set to be at least 10% of the vertical entire plane of the upper substrate in up and down direction from center line of the scan electrode and the sustain electrode so that each distance between the scan electrodes and between the sustain electrodes can be adjusted as described above.  For example, if there are 480 electrode pairs, at least 48 electrode pairs are provided in the center area of sections A11-A15.  This is readily adjustable based a resolution of a plasma panel device.  
・  This is to reduce the luminance difference to be exhibited in the upper substrate.   That is, if the center section of the upper substrate is set to be more than 10% of the vertical entire plane of the upper substrate in up and down direction from center line of the scan electrodes and the sustain electrodes so that each distance between the scan electrodes and between the sustain electrodes may be adjusted as described above, the upper section and the lower area may exhibit better luminance property than the center area, which results in consistent luminance as a whole.
・  In both embodiments, the distance between the scan electrodes and between the sustain electrodes located in each of the upper section, the center section and the lower section of the upper substrate is preferably different.  Figures 5A and 5E, the distance between the scan electrodes and between the sustain electrodes in upper area of sections A1-A5 and sections A6-A10 and lower area of sections A16-A20 and sections A21-A25 increases by Dd (a fraction of distance d) from center line of the scan electrodes and the sustain electrodes line located on the center area of sections A11-A15.
・  For example, each distance between two scan electrodes or between two sustain electrodes located on center area S3 including sections A11-A15 of the upper substrate 100 is d.  Each distance between the scan electrodes or between the sustain electrodes located under and/or above, i.e., area S4 including sections A16-A20 and/or area S2 including sections A6-A10, the center area S3 is d+Dd Further, each distance between scan electrodes or between sustain electrodes in area S1 including sections A1-A5 and/or area S5 including sections A21-A25 is d+2Dd that is Dd larger than the distance between the previous upper area and/or lower area.
・  Although not shown, if additional upper areas and/or lower areas are provided above sections A1-A5 and/or below sections A21-A25, the additional areas preferably include distances of d+3Dd, and thereafter a distance of d+4Dd.  The number of sections above and/or below the center section depends upon the size and/or luminance property of the plasma display panel.  Depending upon the number of sections, the distance can increase by mDd, where m = 1 to 8, but preferably m is no grater than 4. 
・  In the illustrated embodiments, there are preferably equal number of areas above and below the center area, but such uniform number of areas is not absolutely required.  For example, there may be more areas above the center area than the number of areas below the center area, e.g., although the size and/or area of the upper section may be the same as the lower area, there may be greater or less number of divisions in the upper area than the lower area.  
・  Further, Figures 5A and 5E illustrate areas which are uniform in size and/or area.  However, such illustrations are exemplary since each area need not be uniform in size and/or area.  For example, the center area (A11-A15) size/area may be smaller or larger than the upper area (A6-A10 or A1-A5) size/area and/or the lower area (A16-A20 or A21-A25) size/area.  Alternatively or in addition, the upper area (A6-A10) size/area may be smaller or larger than the lower area (A16-A20) size/area, in which case, the upper area (A1-A5) size/ area would be respectively larger or smaller than the lower area (A21-A25) size/area.  Other variations are readily appreciated by one of ordinary skill based on the present disclosure.  
・  Figures 5A and 5E also illustrate Dd increasing uniformly, but the present invention is not limited to uniform increments in the upper and lower areas.  For example, the upper area may increase by increments of 2Dd whereas the lower area increases by increments of Dd, or vice versa.  Alternatively, and/or in addition, the distance in area S4 (A16-A20) may be d+Dd and the distance in area S5 (A21-A25) may be d+3Dd, whereas the distance in the upper areas S1 and S2 increase uniformly.  Other variations are readily appreciated by one of ordinary skill based on the present disclosure.  
・  Figure 6 illustrates the luminance property that is exhibited in each section of the plasma display panel with such electrode structure as shown in FIG.5A or 5E if signals of 180V, 1.14A are applied to each of the scan electrodes and the sustain electrodes.  Area S1 including A1 to A5 of the upper substrate exhibits an average luminance of 156, area S2 including A6 to A10 exhibits an average luminance of 156.2, area S3 including A11 to A15 exhibits an average luminance of 157, area S4 including A16 to A20 exhibits an average luminance of 156.6, and area S5 including A21 to A25 exhibits an average luminance of 156.6.  
・  The plasma display panel according to this invention exhibit substantially consistent luminance within relatively smaller error range in vertical direction of the upper substrate.  Hence, it is possible to reduce the vertical luminance difference in the plasma display panel. 
・  <Another Embodiment of the Invention>
・  FIG.7 is a diagram showing the electrode structure within discharge cell of the plasma display panel according to another embodiment of the present invention.  The electrode structure within the discharge cell of the plasma display panel are divided into areas S1-S5similar to Figures 5A and 5E.  However, this embodiment may be used together with changes in distance d of the previous embodiment(s) or separately, where the distance remains constant throughout areas S1-S5.  
・  The scan electrodes 101 and the sustain electrodes 102 of an electrode pair includes transparent electrodes a and bus electrodes b.  The span of distance or gap g between the transparent electrodes of the scan electrode 101 and the sustain electrode 102 within the discharge cell 80 located in the center area S3 is different, e.g., smaller, from the span of distance or gap, e.g., g + xDg, where Dg is a fraction of gap g, and x is between 1 to 8, but preferably no greater than 4, between the transparent electrodes of the scan electrode 101 and the sustain electrode 102 within the discharge cell 81 or 82 located on the lower areas S1, S2 or the upper areas S4, S5.
・  Although it is preferable that size or area of the center section of the upper substrate is set equally to that of the upper section and the lower section of the upper substrate for facilitating the process of producing electrodes on the upper substrate, the center area of the upper substrate is set to be at least 10% of the vertical entire plane of the upper substrate in up and down direction from center line of the scan electrode and the sustain electrode so that each distance between the scan electrodes and between the sustain electrodes can be adjusted as described above.  For example, if there are 480 electrode pairs, at least 48 electrode pairs are provided in the center area of sections A11-A15.  This is readily adjustable based a resolution of a plasma panel device.  In this embodiment, g is preferably 60 micrometers (mm) and Dg is preferably 10-20 micrometers (mm) for a plasma panel device having a resolution of 480.
・  Although not shown, if additional upper areas and/or lower areas are provided above sections A1-A5 and/or below sections A21-A25, the additional areas preferably include distances of g+3Dg, and thereafter a distance of g+4Dg.  The number of sections above and/or below the center section depends upon the size and/or luminance property of the plasma display panel.  
・  In the illustrated embodiments, there is preferably equal number of areas above and below the center area, but such uniform number of areas is not absolutely required.  For example, there may be more areas above the center area than the number of areas below the center area, e.g., although the size and/or area of the upper section may be the same as the lower area, there may be greater or less number of divisions in the upper area than the lower area.  
・  Similar to the description for Figures 5A and 5E, each area need not be uniform in size and/or area.  For example, the center area (A11-A15) size/area may be smaller or larger than the upper area (A6-A10 or A1-A5) size/area and/or the lower area (A16-A20 or A21-A25) size/area.  Alternatively or in addition, the upper area (A6-A10) size/area may be smaller or larger than the lower area (A16-A20) size/area, in which case, the upper area (A1-A5) size/ area would be respectively larger or smaller than the lower area (A21-A25) size/area.  Other variations are readily appreciated by one of ordinary skill based on the present disclosure.  
・  Further, the present invention is not limited to uniform increments in the upper and lower areas.  For example, the gap of the upper area may increase by increments of 2Dd whereas the gap of the lower area increases by increments of Dg, or vice versa.  Alternatively, and/or in addition, the gap in area S4 (A16-A20) may be g+Dg and the gap in area S5 (A21-A25) may be g+3Dg, whereas the distance in the upper areas S1 and S2 increase uniformly.  Other variations are readily appreciated one of ordinary skill based on the present disclosure.  
・  The plasma display panel with the electrode structure within the discharge cell according to this embodiment preferably reduces the vertical luminance difference in the plasma display panel, since the gap between the transparent electrodes is relatively small for the center area.  Hence, the amount of emission generated by applying the same signals is relatively large, in the discharge cells located in the center area of the upper substrate.
・  FIG.8 is a diagram that illustrates the luminance property in each section of the plasma display panel with the electrode structure of FIG.7 if the same signals, i.e. signals of 180V, 1.14A, are applied to each of the scan electrodes and the sustain electrodes.  The area S1 including sections A1 to A5 of the upper substrate exhibits an average luminance of 156.8, the area S2 including sections A6 to A10 exhibits an average luminance of 157.4, the area S3 including sections A11 to A15 exhibits an average luminance of 157.6, the area S4 including sections A16 to A20 exhibits an average luminance of 156.6, and the area S5 including sections A21 to A25 exhibits an average luminance of 156.8.  The plasma display panel of this invention exhibits consistent luminance with relatively small error range in substantially all vertical areas of the upper substrate. 
・  The plasma display panel with such electrode structure within the discharge cell reduces the vertical luminance difference in the plasma display panel, since the gap or span of distance between the transparent electrodes within the discharge cells included in the center area is relatively smaller and overall area of the transparent electrodes is relatively larger so that the amount of emission generated by applying the same signal is relatively larger in the center area.  Such a reduction in the luminance difference is possible, although an inductance of scan/sustain electrode pair is different due to the length of scan/sustain electrode pair being longer in the upper and lower areas compared to the center area .
・  The foregoing embodiments and advantages are merely exemplary and are not to be construed as limiting the present invention.  The present teaching can be readily applied to other types of apparatuses.  The description of the present invention is intended to be illustrative, and not to limit the scope of the claims.  Many alternatives, modifications, and variations will be apparent to those skilled in the art. In the claims, means-plus-function clauses are intended to cover the structures described herein as performing the recited function and not only structural equivalents but also equivalent structures.
BRIEF DESCRIPTION OF THE DRAWINGS
・  The invention will be described in detail with reference to the following drawings in which like reference numerals refer to like elements wherein:
・  FIG.1 is a structural diagram showing the electrode arrangement of the plasma display panel.
・  FIG.2 is a diagram showing the electrodes structure within discharge cell of a plasma display panel.
・   FIG.3 is a diagram that illustrates the luminance property exhibited in the upper substrate that is the display plane of the plasma display panel.
・  FIG. 4 is a diagram showing a structure of a plasma display panel. 
・  FIG.5A is a structural diagram that illustrates the electrode arrangement of the plasma display panel according to an embodiment of the invention.
・  FIG. 5B -5D illustrate details of Figure 5A. 
・  FIG.5E is a structural diagram that illustrates another electrode arrangement of a plasma display panel according to the invention.
・  FIG.6 is a diagram that illustrates the luminance property of each area in the plasma display panel with the electrode structure of FIG.5A or Fig. 5E.
・  FIG.7 is a diagram showing the electrode structure within discharge cell of the plasma display panel according to another embodiment of the invention.
・  FIG.8 is a diagram that illustrates the luminance property of each area in the plasma display panel with the electrode structure of FIG.7.
Claims
1.    A plasma display panel, comprising:
a plurality of paired electrodes, each paired electrode including a scan electrode and sustain electrode in a first direction;
a plurality of address electrodes in a second direction, which is substantially perpendicular to the first direction; and
a plurality of cells, each cell being formed near or at an intersection of corresponding paired electrode and address electrode, wherein
the plurality of cells are divided into a plurality of areas, each area including at least two paired electrodes such that the at least two paired electrodes include first and second pairs, and a prescribed distance being formed between a scan electrode of the first pair and a scan electrode of a second pair or between a sustain electrode of the first pair and a sustain electrode of the second pair or between cells in the second direction, wherein
the prescribed distance of at least one area is different from the prescribed distance of at least one other area.
2.    The plasma display panel of claim 1, wherein the plurality of areas includes an upper area, a lower area and a center area therebetween.
3.    The plasma display panel of claim 2, wherein the center area is at least 10 % of the total display area.
4.    The plasma display panel of claim 2, wherein the upper, lower and center areas have the same area or size, or the upper and lower areas have different area or size compared to the center area.      
5.    The plasma display panel of claim 2, wherein the prescribed distance of the center area is smaller than the prescribed distance of at least one of the upper area or the lower area, and/or the prescribed distance of the upper area is smaller or larger than the prescribed distance of the lower area.
6.    The plasma display panel of claim 2, wherein the upper area includes a plurality of first areas, and the lower area includes a plurality of second areas.
7.    The plasma display panel of claim 6, wherein the number of first and second areas is the same or different.
8.    The plasma display panel of claim 7, wherein the prescribed distance increase uniformly from a first area adjacent to the center area to the first area farest from the center area or the prescribed distance changes non-uniformly from the first area adjacent to the center area to the first area farest from the center area.
9.    The plasma display panel of claim 7, wherein the prescribed distance increase uniformly from a second area adjacent to the center area to the second area farest from the center area or the prescribed distance changes non-uniformly from the second area adjacent to the center area to the second area farest from the center area.
10.   A plasma display panel comprising:
a plurality of scan electrodes arranged in a first direction; and
a plurality of sustain electrodes arranged in the first direction, the first scan electrodes and the second sustain electrodes forming a plurality of electrode pairs and a scan electrode of a pair being spaced apart from a sustain electrode of the pair by a gap of a prescribed distance, wherein 
the plurality of electrode pairs being distributed between a plurality of regions, each region having at least one electrode pair, and
the prescribed distance of at least one region is different from the prescribed distance of at least one other region.
11.   The plasma display panel of claim 10, wherein the plurality of regions  includes an upper region, a lower region and a center region therebetween.
12.   The plasma display panel of claim 10, wherein the center region is at least 10 % of the total display area.
13.   The plasma display panel of claim 11, wherein the upper, lower and center regions have the same area or size, or the upper and lower regions have different area or size compared to the center region.     
14.   The plasma display panel of claim 11, wherein the prescribed distance of the center region is smaller than the prescribed distance of at least one of the upper region or the lower region, and/or the prescribed distance of the upper region is smaller or larger than the prescribed distance of the lower region.
15.   The plasma display panel of claim 11, wherein the upper region includes a plurality of first areas, and the lower area includes a plurality of second areas.
16.   The plasma display panel of claim 15, wherein the number of first and second areas is the same or different.
17.   The plasma display panel of claim 16, wherein the prescribed distance increase uniformly from a first area adjacent to the center region to the first area farest from the center region or the prescribed distance changes non-uniformly from the first area adjacent to the center region to the first area farest from the center region.
18.   The plasma display panel of claim 16, wherein the prescribed distance increase uniformly from a second area adjacent to the center region to the second area farest from the center region or the prescribed distance changes non-uniformly from the second area adjacent to the center region to the second area farest from the center region.
19.  A method of making a plasma display panel comprising:
providing an upper substrate having a plurality of paired electrodes, each paired electrode including a scan electrode and sustain electrode;
providing a lower substrate having a plurality of address electrodes, and a plurality of barrier ribs, each discharge cell being  formed near or at an intersection of corresponding paired electrode and address electrode, wherein at least one of:
(a) the plurality of cells are divided into a plurality of areas, each area including at least two paired electrodes such that the at least two paired electrodes include first and second pairs, and a prescribed distance being formed between a scan electrode of the first pair and a scan electrode of a second pair or between a sustain electrode of the first pair and a sustain electrode of the second pair or between cells in the second direction, and the prescribed distance of at least one area is different from the prescribed distance of at least one other area, or
(b) a scan electrode of a paired electrode being spaced apart from a sustain electrode of the paired electrode by a gap of a prescribed distance, the plurality of paired electrodes being distributed between a plurality of regions, each region having at least one paired electrode, and the prescribed distance of at least one region is different from the prescribed distance of at least one other region.
ABSTRACT OF THE DISCLOSURE
A plasma display panel of the present invention preferably reduces the luminance differences over a display area of a panel.  The reduction in luminance difference is achieved by at least one of changing distances between corresponding scan electrodes or corresponding sustain electrodes of corresponding scan/sustain electrode pairs in different areas of the panel or varying a gap between the scan and sustain electrodes of the scan/sustain electrode pair.
2006120633.tif 000015
2006120633.tif 000016
2006120633.tif 000017
2006120633.tif 000018
2006120633.tif 000019
2006120633.tif 000020
2006120633.tif 000021
2006120633.tif 000022
2006120633.tif 000023
2006120633.tif 000024
2006120633.tif 000025
2006120633.tif 000026